(57)【要約】【課題】本発明は、投映原板を回転させる回転機構を有することなく、所望の画像をスクリーンに投映することが可能な投映装置を提供することを目的とする。【解決手段】本発明に係る投映装置は、中空の球の下部を平面で切断した形状の投映部１２および投映部１２の切断部に接続した電極形成部１３から成る投映原板１１と、投映部１２の内側に設けられ、光を放射する光源１７と、を有して成り、投映部１２の外表面側には、マトリクス状に形成されたｍ本のデータ線１９およびｎ本の走査線２０（ｍ、ｎは自然数）と、データ線１９と走査線２０との交わる位置毎に形成された画素部１８と、が形成されており、画素部１８は、スイッチング素子としての有機トランジスタ１８１と、有機トランジスタ１８１のスイッチング状態に応じて光源１７からの光を装置外部へ透過させるシャッター部１８２と、を有して成る構成とされている。【選択図】図１
2007187688.tif 000002
【特許請求の範囲】
【請求項１】
中空の球の下部を平面で切断した形状の投映部および該投映部の切断部に接続した円筒状の電極形成部から成る投映原板と、前記投映部の内側の中心位置に設けられ、光を放射する光源と、を有して成る投映装置であって、
前記投映原板の基材は、透明アクリル樹脂から成り、
前記投映部の外表面側には、マトリクス状に形成されたｍ本のデータ線およびｎ本の走査線（ｍ、ｎは自然数）と、該データ線と該走査線との交わる位置毎に形成された画素部と、が形成されており、
前記電極形成部の外表面側には、前記ｎ本の走査線のそれぞれと電気的に接続された走査電極が、形成されて成り、
前記画素部は、スイッチング素子としての有機トランジスタと、該有機トランジスタのスイッチング状態に応じて所定の画素電圧が印加される画素電極、該画素電極と対向する共通電極、および該画素電極と該共通電極との間に挟まれた液晶層を有するシャッター部と、を有して成り、
また、前記投映部の外表面側には、前記ｍ本のデータ線のそれぞれが絶縁状態を保って、その表面上に引き出される絶縁性のデータ線引出部と、前記投映部を間に挟んで該データ線引出部と対向する位置に、前記共通電極に電気的に接続された共通線が、その表面上に引き出される絶縁性の共通線引出部と、が形成されて成り、
前記液晶層は、前記有機トランジスタがオン状態で、前記画素電極に前記所定の画素電圧が印加されることで、前記光源からの光を装置外部へ透過させることを特徴とする投映装置。
【請求項２】
中空の球の下部を平面で切断した形状の投映部および該投映部の切断部に接続した電極形成部から成る投映原板と、前記投映部の内側に設けられ、光を放射する光源と、を有して成る投映装置であって、
前記投映部の外表面側には、マトリクス状に形成されたｍ本のデータ線およびｎ本の走査線（ｍ、ｎは自然数）と、該データ線と該走査線との交わる位置毎に形成された画素部と、が形成されており、
該画素部は、スイッチング素子としての有機トランジスタと、該有機トランジスタのスイッチング状態に応じて前記光源からの光を装置外部へ透過させるシャッター部と、を有して成ることを特徴とする投映装置。
【請求項３】
前記投映原板の基材は、透光性素材からなることを特徴とする請求項２に記載の投映装置。
【請求項４】
前記透光性素材は、透明アクリル樹脂であることを特徴とする請求項３に記載の投映装置。
【請求項５】
前記シャッター部は、前記有機トランジスタのスイッチング状態に応じて所定の画素電圧が印加される画素電極、該画素電極と対向する共通電極、および該画素電極と該共通電極との間に挟まれた液晶層を有し、
前記液晶層は、前記有機トランジスタのスイッチング状態に応じて前記画素電極に前記所定の画素電圧が印加されることで、前記光源からの光を装置外部へ透過させることを特徴とする請求項２〜請求項４のいずれかに記載の投映装置。
【請求項６】
前記投映部の外表面側には、前記ｍ本のデータ線あるいは前記ｎ本の走査線のそれぞれが絶縁状態を保って、その表面上に引き出される絶縁性の第１引出部と、前記投映部を間に挟んで該第１引出部と対向する位置に、前記共通電極に電気的に接続された共通線が、その表面上に引き出される絶縁性の第２引出部と、が形成されて成り、
前記電極形成部の外表面側には、前記ｎ本の走査線あるいは前記ｍ本のデータ線のそれぞれと電気的に接続された引出電極が形成されて成ることを特徴とする請求項２〜請求項５のいずれかに記載の投映装置。
【発明の詳細な説明】
【技術分野】
【０００１】
本発明は、スクリーンに所望の画像を投映する投影装置に関するものである。
【背景技術】
【０００２】
従来より、スクリーンに所望の画像を投映する投映装置は、例えば、プラネタリウム用の投映装置の場合、光源を覆い、恒星をドーム型スクリーンに投映するためのピンホールが開口された球状の投映原板（すなわち、遮光板）が回転機構により回転されるものがある。
【特許文献１】特開２００５−１２８４１１号公報
【特許文献２】特開２００４−２７９８６７号公報
【特許文献２】特開２００５−１８３６１６号公報
【発明の開示】
【発明が解決しようとする課題】
【０００３】
確かに、従来の投映装置であれば、所望の画像をスクリーンに投映するためのピンホールが開口された球状の投映原板が、回転機構によって回転されるため、所望の画像をスクリーンに投映することが可能である。
【０００４】
しかしながら、従来の投映装置においては、投映原板を回転させるための回転機構を有する必要があるため、その回転機構によって装置の小型化が妨げられている。
【０００５】
なお、可撓性のある表示装置が開示・提案されているが（例えば、特許文献１〜特許文献３を参照）、これらに開示された表示装置は、特にドーム型スクリーンに画像を投映することに対して考慮されたものではなかった。
【０００６】
本発明は、上記の課題に鑑み、投映原板を回転させる回転機構を有することなく、所望の画像をスクリーンに投映することが可能な投映装置を提供することを目的とする。
【課題を解決するための手段】
【０００７】
上記目的を達成するために、本発明に係る投映装置は、中空の球の下部を平面で切断した形状の投映部および該投映部の切断部に接続した円筒状の電極形成部から成る投映原板と、前記投映部の内側の中心位置に設けられ、光を放射する光源と、を有して成り、前記投映原板の基材が、透明アクリル樹脂から成り、前記投映部の外表面側には、マトリクス状に形成されたｍ本のデータ線およびｎ本の走査線（ｍ、ｎは自然数）と、該データ線と該走査線との交わる位置毎に形成された画素部と、が形成されており、前記電極形成部の外表面側には、前記ｎ本の走査線のそれぞれと電気的に接続された走査電極が、形成されて成り、前記画素部が、スイッチング素子としての有機トランジスタと、該有機トランジスタのスイッチング状態に応じて所定の画素電圧が印加される画素電極、該画素電極と対向する共通電極、および該画素電極と該共通電極との間に挟まれた液晶層を有するシャッター部と、を有して成り、また、前記投映部の外表面側には、前記ｍ本のデータ線のそれぞれが絶縁状態を保って、その表面上に引き出される絶縁性のデータ線引出部と、前記投映部を間に挟んで該データ線引出部と対向する位置に、前記共通電極に電気的に接続された共通線が、その表面上に引き出される絶縁性の共通線引出部と、が形成されて成り、前記液晶層が、前記有機トランジスタがオン状態で、前記画素電極に前記所定の画素電圧が印加されることで、前記光源からの光を装置外部へ透過させる構成とされている。このような構成とすることにより、投映装置は、投映原板を回転させる回転機構を有することなく、有機トランジスタがオン状態で液晶層を透過する光がスクリーンに投映されるため、有機トランジスタの駆動を制御することで、所望の画像を静止画でスクリーンに投映したり、所望の画像を動画で投映したりすることが可能となる。また、投映装置は、投映原板を回転させる回転機構を備える必要がないため、安価で小型に製造することが可能となる。
【０００８】
また、本発明に係る投映装置は、中空の球の下部を平面で切断した形状の投映部および該投映部の切断部に接続した電極形成部から成る投映原板と、前記投映部の内側に設けられ、光を放射する光源と、を有して成り、前記投映部の外表面側には、マトリクス状に形成されたｍ本のデータ線およびｎ本の走査線（ｍ、ｎは自然数）と、該データ線と該走査線との交わる位置毎に形成された画素部と、が形成されており、該画素部は、スイッチング素子としての有機トランジスタと、該有機トランジスタのスイッチング状態に応じて前記光源からの光を装置外部へ透過させるシャッター部と、を有して成る構成とされている。このような構成とすることにより、投映装置は、投映原板を回転させる回転機構を有することなく、有機トランジスタのスイッチング状態に応じてシャッター部を透過した光がスクリーンに投映されるため、有機トランジスタの駆動を制御することで、所望の画像を静止画でスクリーンに投映したり、所望の画像を動画で投映したりすることが可能となる。また、投映装置は、投映原板を回転させる回転機構を備える必要がないため、安価で小型に製造することが可能となる。
【０００９】
また、上記構成から成る投映装置の前記投映原板の基材が、透光性素材からなる構成とされている。透光性素材は、透明アクリル樹脂、熱硬化樹脂やガラス等の光を透過する素材から成る。投映原板の基材に透過性素材を用いることで、投映原板の基材は、光源からの光を遮断することなく、透過する。
【００１０】
なお、前記透光性素材は、透明アクリル樹脂である構成とされている。透明アクリル樹脂は安価で加工性に優れているため、投映基板の基材を安価で簡単に形成することができる。
【００１１】
また、上記構成から成る投映装置は、前記シャッター部が、前記有機トランジスタのスイッチング状態に応じて所定の画素電圧が印加される画素電極、該画素電極と対向する共通電極、および該画素電極と該共通電極との間に挟まれた液晶層を有し、前記液晶層が、前記有機トランジスタのスイッチング状態に応じて前記画素電極に前記所定の画素電圧が印加されることで、前記光源からの光を装置外部へ透過させる構成とされている。このような構成とすることにより、投映装置は、有機トランジスタのスイッチング状態に応じて液晶層を透過した光がスクリーンに投映されるため、有機トランジスタの駆動を制御することで、所望の画像を静止画でスクリーンに投映したり、所望の画像を動画で投映したりすることが可能となる。
【００１２】
また、上記構成から成る投映装置は、前記投映部の外表面側には、前記ｍ本のデータ線あるいは前記ｎ本の走査線のそれぞれが絶縁状態を保って、その表面上に引き出される絶縁性の第１引出部と、前記投映部を間に挟んで該第１引出部と対向する位置に、前記共通電極に電気的に接続された共通線が、その表面上に引き出される絶縁性の第２引出部と、が形成されて成り、前記電極形成部の外表面側には、前記ｎ本の走査線あるいは前記ｍ本のデータ線のそれぞれと電気的に接続された引出電極が形成されて成る構成とされている。このような構成にすることにより、走査線、データ線および共通線を短絡させることなく、装置外に引き出すことが可能となる。
【発明の効果】
【００１３】
上記したように、本発明に係る投映装置であれば、投映原板を回転させる回転機構を有することなく、所望の画像を静止画でスクリーンに投映したり、所望の画像を動画で投映したりすることが可能となる。
【発明を実施するための最良の形態】
【００１４】
以下、本発明の実施形態を図面を参照して説明を行う。
【００１５】
図１は、本実施形態の投映装置の一例を模式的に示す斜視図である。なお、図１に示す複数の画素部１８は、説明を解りやすくするため、便宜上、低集積度で記載されており、実際には、図１に示すものより高集積度で形成されるものである。また、図１において、共通線の記載を省略している。
【００１６】
本実施形態の投映装置１は、図１に示すように、中空の球の下部を平面で切断した形状の投映部１２、および投映部１２の切断部に接続した円筒状の電極形成部１３なら成る投映原板１１と、投映原板１１の投映部１２の外表面側に設けられた第１引出部のデータ線引出部１４と、投映部１２を間に挟んでデータ線引出部１４と対向する位置で、投映部１２の外表面側に設けられた第２引出部の共通線引出部１５と、投映部１２の内表面側の２箇所に接続され、後述の光源１７を支える光源ホルダー１６と、投映部１２が成す球の中心位置に光源ホルダー１６によって支えられ、電力が供給された際に光を放射する光源１７と、を備えている。なお、本実施形態の投映装置１において、図１に示す投映部１２は、中空の半球よりも中空の球に近い形状にされている。
【００１７】
投映原板１１の基材は、透明アクリル樹脂から成る。透明アクリル樹脂は、安価で加工性に優れているため、投映基板１１の基材を安価で簡単に形成することができる。なお、投映原板１１の基材は、透明アクリル樹脂のほか、熱硬化樹脂やガラスなどの透明あるいは半透明の素材でもよい。また、投映原板１１の基材は、光を透過する透光性素材から形成されていればよい。投映原板１１の基材は、透光性素材から形成されているため、光源１７からの光を遮断することなく、透過することができる。
【００１８】
データ線引出部１４および共通線引出部１５は、絶縁性の棒状の樹脂からなる。なお、データ線引出部１４および共通線引出部１５は、電導性部材に絶縁性の樹脂がコーティングされたものでもよい。
【００１９】
光源１７は、配線１７１に電気的に接続されており、配線１７１を介して光源１７に電力が供給される。また、配線１７１は、投映部１２および電極形成部１３の内側から装置外部に引き出されている。なお、光源１７には、電球や発光ダイオードなどが用いられてもよい。また、光源１７から放射される光の色は、白色、赤色、青色、緑色等のいずれの色であってもよい。
【００２０】
光源ホルダー１６は、２つの棒状部材から成り、データ線引出部１４および共通線引出部１５のそれぞれに対向する投映部１２の内表面側に棒状部材の一端が接続され、更にそれらの他端が、投映部１２が成す球の中心位置の近傍に位置し、光源１７を支えている。なお、光源ホルダー１６は、光源１７を投映球１２の成す球の中心位置に保持できる構成であればよい。
【００２１】
また、電極形成部１３の外表面には、後述するｎ本の走査線２０のそれぞれと電気的に接続された導電性の素材から成る引出電極の走査電極１３１が形成されている。
【００２２】
また、図２は、本実施形態の投映装置１における投映原板１１の外表面側に形成された複数の画素部１８の等価回路の一例を示す図である。なお、図２では、説明の便宜上、各画素部１８の形状を同じ形状に記載している。
【００２３】
投映部１２の外表面側には、図１および図２に示すように、マトリクス状に形成されたｍ本のデータ線１９およびｎ本の走査線２０が形成され、データ線１９と走査線２０との交わる位置毎に画素部１８が形成されている。なお、ｍおよびｎは、自然数である。また、投映部１２の外表面には、図２に示すように、走査線２０と交差して、共通線２１が形成されている。
【００２４】
各データ線１９、各走査線２０および各共通線２１は、導電性の有機物や金などの導電性の素材から形成されている。
【００２５】
また、各画素部１８の形状は、投映部１２が中空の球の下部を平面で切断した形状であるため、投映部１２の形状が考慮された形状とされている。すなわち、データ線引出部１４側および共通線引出部１５側に最も近い画素部１８の形状は、辺が非直線の三角状であり、その他の画素部１８は、辺が非直線の矩形状とされている。
【００２６】
また、各画素部１８は、図１および図２に示すように、所定レベルの走査電圧が印加された際に、オン状態となり、後述するシャッター部１８２に所定レベルの画素電圧を印加して、投映原板１１の基材等を透過した光源１７からの光をシャッター部１８２に透過させる画素スイッチング素子としての有機トランジスタ１８１と、有機トランジスタ１８１がオン状態で、有機トランジスタ１８１から所定レベルの画素電圧が印加された際に、投映原板１１の基材等を透過した光源１７からの光を投映装置１の外部に透過させるシャッター部１８２と、を有して成る。
【００２７】
また、各シャッター部１８２は、有機トランジスタ１８１がオン状態で所定レベルの画素電圧が印加される画素電極１８３と、画素電極１８３と対向する共通電極１８４と、画素電極１８３と共通電極１８４との間に挟まれた液晶層１８５と、を有して成る。なお、液晶層１８５は、マトリクス状に形成された有機トランジスタ１８１および画素電極１８３よりも上層に形成されている。
【００２８】
また、画素電極１８３および共通電極１８４は、導電性で光を透過する透光性素材から成る。また、液晶層１８５は、液晶が透光性の樹脂で封止されたものである。また、液晶層１８５は、有機トランジスタ１８１がオン状態で、画素電極１８３に所定レベルの画素電圧が印加されることで、樹脂に封止された液晶が相変化し、画素電極１８３まで透過した光源１７からの光を投映装置１の外部に透過させる。すなわち、液晶層１８５の液晶は、有機トランジスタ１８１がオフ状態で光を透過させない、ノーマリブラックの液晶が樹脂で封止されたものである。
【００２９】
また、図２に示すように、各画素部１８において、有機トランジスタ１８１のゲートＧ、ソースＳおよびドレインＤのそれぞれは、走査線２０、データ線１９および画素電極１８３に電気的に接続されている。また、各画素部１８において、液晶層１８５を挟んで画素電極１８３と対向する共通電極１８４は、共通線２１に電気的に接続されている。なお、画素電極１８４は、各シャッター部１８２のほぼ全域に形成されている。
【００３０】
また、各走査線２０は、対応する図１に示す走査電極１３１と電気的に接続されている。各データ線１９は、図３に示すように、所定の間隔を隔てることで絶縁状態を保ちつつ、データ線引出部１４の表面上に引き出されている。各共通線２１は、共通線引出部１５の表面上に引き出されている。なお、各共通線２１は、各データ線１９と同様に所定の間隔を隔てることで絶縁状態を保ちつつ共通線引出部１５の表面上に引き出されてもよい。このような構成にすることで、走査線、データ線および共通線を短絡させることなく、装置外に引き出すことが可能となる。
【００３１】
なお、有機トランジスタ１８１、画素電極１８３、走査線２０、データ線１９、共通線２１、走査電極１３１、液晶を封止する樹脂、および共通電極１８４等は、投映原板１１、データ線引出部１４および共通線引出部１５の外周から所定間隔を隔てて包みこむヘッドに設けられた複数のノズルから各部に対応する素材が、順次、投映原板１１、データ線引出部１４および共通線引出部１５に向けて出射されることで形成される。これらは、所謂、印刷法にて形成される。また、液晶層１８５の液晶は、液晶を封止するための樹脂が形成された後に封入される。
【００３２】
次に、本実施形態の投映装置１における所望の画像をスクリーンに投映する際の動作について図を参照して以下に説明する。図４は、ドーム型スクリーンに画像を投映する投映装置１を示す図である。
【００３３】
なお、投映装置１の動作に際して、投映装置１は、コントローラ（不図示）と電気的に接続されて、コントローラにより制御される。また、データ引出部１４には、データ引出部１４の表面上に形成されている各データ線１９とデータ引出部コネクタ（不図示）が接続され、データ引出部コネクタを介して各データ線１９とコントローラが電気的に接続される。電極形成部１３には、電極形成部１３に形成されている各走査電極１３１と走査電極部コネクタ（不図示）が接続され、走査電極部コネクタを介して各走査電極１３１とコントローラが電気的に接続される。共通線引出部１５には、共通線引出部１５の表面上に形成されている各共通線２１と共通線引出部コネクタ（不図示）に接続され、共通線引出部コネクタを介して各共通線２１とコントローラが電気的に接続される。また、共通電極１５は、共通線引出部コネクタおよびコントローラを介して接地される。また、光源１７は、配線１７１を介してコントローラと電気的に接続され、コントローラから電力が供給される。また、コントローラは、図示はしていないが、各データ線１９、各走査線２０および光源１７に電力を供給するための電源と、投映装置１を制御する制御部、所望の画像を投映するための各種制御プログラム等が格納された記憶部等を当然有して成る。
【００３４】
また、投映装置１の動作に際して、投映装置１は、図４に示すように、投映装置台３１上に配置されるなどして、投映部１２の成す球の中心位置が、中空の球の下部を平面で切断した形状のドーム型スクリーン３０が成す球の中心位置に一致するように配置される。
【００３５】
本実施形態の投映装置１では、図１、図２および図４に示すように、制御プログラムに従って、コントローラからデータ引出部コネクタを介して、データ引出部１４の表面上に形成されたデータ線１９に所定レベルのデータ電圧が印加される。更に、コントローラから走査電極部コネクタおよび走査電極１３１を介して、走査線２０に所定レベルの走査電圧が印加されると、有機トランジスタ１８１のゲートＧがオン状態となり、データ線１９から共通線２１に電流が流れ、所定レベルの画素電圧が画素電極１８３に印加される。そして、画素電極１８３に画素電圧が印加されることで、液晶層１８５に電圧がかかり、液晶層１８５の液晶が相変化する。このとき、画素電極１８３まで透過した光源１７からの光が、液晶層１８５を透過してドーム型スクリーン３０に投映される。
【００３６】
このように、本実施形態の投映装置１は、制御プログラムに従ってコントローラにより、ｍ×ｎのマトリクス状に形成されている各画素部１８の有機トランジスタ１８１が順次、駆動されることで、有機トランジスタ１８１がオン状態で液晶層１８５を透過した光源１７からの光がドーム型スクリーン３０に投映されるため、例えば、図４に示すように、ドーム型スクリーン３０に星を示す画像３２を静止画として投映したり、例えば、矢印Ａ方向に移動する動画として投映したりすることができる。
【００３７】
なお、ドーム型スクリーン３０の代わりに、平面型あるいは非平面型のスクリーンが用いられてもよい。この場合、平面型あるいは非平面型のスクリーンに所望の画像が投映されるように、各画素部１８の形状および投映装置１の制御プログラムの変更がされるとよい。
【００３８】
上記で説明したように、本実施形態の投映装置は、中空の球の下部を平面で切断した形状の投映部１２および投映部１２の切断部に接続した円筒状の電極形成部１３から成る投映原板１１と、前記投映部１２の内側の中心位置に設けられ、光を放射する光源１７と、を有し、投映原板１１の基材は、透明アクリル樹脂から成り、投映部１２の外表面側には、マトリクス状に形成されたｍ本のデータ線１９およびｎ本の走査線２０と、データ線１９と走査線２０との交わる位置毎に形成された画素部１８と、が形成されて成り、電極形成部１３の外表面側には、前記ｎ本の走査線２０のそれぞれと電気的に接続された走査電極１３１が、形成されて成り、画素部１８が、スイッチング素子としての有機トランジスタ１８１と、有機トランジスタ１８１のスイッチング状態に応じて所定の画素電圧が印加される画素電極１８３、画素電極１８３と対向する共通電極１８４、および画素電極１８３と共通電極１８４との間に挟まれた液晶層１８５を有するシャッター部１８２と、を有して成り、また、投映部１２の外表面側には、ｍ本のデータ線１９のそれぞれが絶縁状態を保って、その表面上に引き出される絶縁性のデータ線引出部１４と、投映部１２を間に挟んでデータ線引出部１４と対向する位置に、共通電極１８４に電気的に接続された共通線２１が、その表面上に引き出される絶縁性の共通線引出部１５と、が形成されて成り、液晶層１８５が、有機トランジスタ１８１がオン状態で、画素電極１８３に所定の画素電圧が印加されることで、光源１７からの光を装置外部へ透過させる構成とされている。
【００３９】
よって、本実施形態の投映装置１であれば、投映原板１を回転させる回転機構を有することなく、有機トランジスタ１８１のスイッチング状態に応じて、液晶層１８５を透過した光がスクリーンに投映されるため、コントローラの制御により有機トランジスタ１８１のスイッチング状態が制御されることで、所望の画像を静止画でスクリーンに投映したり、所望の画像を動画で投映したりすることが可能となる。また、本実施形態の投映装置１は、投映原板１を回転させる回転機構を備える必要がないため、安価で小型に製造することが可能となる。
【００４０】
また、本実施形態の投映装置１において、投映原板１１の基材に透光性基材の透明アクリル樹脂が用いられているため、光源１７からの光が透過されやすい。
【００４１】
また、本実施形態の投映装置１は、液晶層１８５の液晶には、ノーマリブラックの液晶が用いられる構成であったが、有機トランジスタ１８１が、オフ状態で、光源１７からの光を透過させる液晶、すなわち、ノーマリホワイトの液晶が用いられてもよい。この場合、有機トランジスタ１８１が、オン状態になると、画素電極１８３に画素電圧が印加されることで、液晶層１８５のノーマリホワイトの液晶が相変化し、光源１７からの光がシャッター部１８２を透過しなくなる。このような構成においても、上記と同様な効果を得ることが可能となる。
【００４２】
また、本実施形態の投映装置１は、液晶が樹脂に封止された液晶層１８５を有する構成であったが、液晶に限定される必要はなく、画素電極１８３に画素電圧が印加されることで、相変化して光源１７からの光を透過させる誘電体であればよい。
【００４３】
また、本実施形態の投映装置１は、各データ線１９および各共通線２１のそれぞれが、第１引出部のデータ線引出部１４および第２引出部の共通線引出部１５の表面上に形成され、また、各走査線２０が引出電極の走査電極１３１と電気的に接続されることで、各データ線１９、各共通線２１および各走査線２０の引き出しが成されているが、このような構成に限定される必要はなく、各走査線、各データ線および各共通線のそれぞれが、第１引出部、引出電極および第２引出部を介して引き出されるように構成されてもよい。このような構成においても、上記と同様な効果を得ることが可能となる。
【００４４】
また、投映装置１は、コントローラによって光源１７に供給される電力が制御されて、光源１７から出射される光量が調節されてもよい。これにより、投映装置１は、スクリーンに諧調が制御された画像を投映することが可能となる。
【００４５】
また、投映装置１は、光源１７にそれぞれ赤、青および緑を放射する光源が備えられてもよい。この場合、シャッター部１８２を透過する各光源からの光がスクリーンにカラー画像として表示されるように、各光源に供給する電力および有機トランジスタ１８１のスイッチングのタイミングが調整されるとよい。これにより、スクリーンに投映される画像をカラー化することが可能となる。
【００４６】
また、投映部１２にカラーフィルターが設けられるなどしてスクリーンに投映される画像がカラー化されてもよい。
【００４７】
また、本発明の構成は、上記実施形態のほか、発明の主旨を逸脱しない範囲で種々の変更を加えることが可能である。
【産業上の利用可能性】
【００４８】
本発明は、プラネタリウム用の投映装置や画像表示用の投映装置等に幅広く適用することが可能である。
【図面の簡単な説明】
【００４９】
【図１】は、本実施形態の投映装置の一例を模式的に示す斜視図である。
【図２】は、本実施形態の投映装置における投映原板の外表面側に形成された複数の画素部の等価回路の一例を示す図である。
【図３】は、データ線引出部近傍の拡大図である。
【図４】は、ドーム型スクリーンに画像を投映する投映装置を示す図である。
【符号の説明】
【００５０】
１    投映装置
１１    投映原板
１２    投映部
１３    電極形成部
１３１    走査電極
１４    データ線引出部
１５    共通線引出部
１６    光源ホルダー
１７    光源
１７１    配線
１８    画素部
１８１    有機トランジスタ
１８２    シャッター部
１８３    画素電極
１８４    共通電極
１８５    液晶層
１９    データ線
２０    走査線
２１    共通線
３０    ドーム型スクリーン
３１    投映装置台
３２    画像
【図１】
2007187688.tif 000003
【図２】
2007187688.tif 000004
【図３】
2007187688.tif 000005
【図４】
2007187688.tif 000006